(57)【要約】【課題】蓄尿袋内に溜まる尿によって蓄尿袋が外側に膨れるのを制限することにより、蓄尿袋内に多くの尿が溜まっても患者（使用者）は快適に歩行することができると共に、患者の歩行動作に起因する蓄尿袋内の尿の音を低減することができる蓄尿袋を得る。【解決手段】  排尿を蓄尿する蓄尿本体２を有する蓄尿袋１であって、蓄尿本体２内部には、蓄尿本体２内に蓄尿された尿によって蓄尿本体２が膨らむのを制限する制限手段５が設けられている。【選択図】図１
2014212873.tif 000002
【特許請求の範囲】
【請求項１】
排尿を蓄尿する蓄尿本体を有する蓄尿袋であって、
前記蓄尿本体内部には、前記蓄尿本体内に蓄尿された尿によって前記蓄尿本体が膨らむのを制限する制限手段が設けられていることを特徴とする、蓄尿袋。
【請求項２】
請求項１記載の蓄尿袋において、
前記制限手段は、前記蓄尿本体内に蓄尿された尿が溜まる前記蓄尿本体の下方部分に設けられていることを特徴とする、蓄尿袋。
【請求項３】
請求項１又は２記載の蓄尿袋において、
前記制限手段は、帯状に形成されており、その一端が前記蓄尿本体の表面部の内面に取り付けられ、他端が前記蓄尿本体の裏面部の内面に取り付けられていることを特徴とする、蓄尿袋。
【請求項４】
請求項３記載の蓄尿袋において、
前記規制手段は、折りたためられた帯状に形成されていることを特徴とする、蓄尿袋。
【請求項５】
請求項３又は４記載の蓄尿袋において、
前記制限手段は、前記蓄尿本体の上下方向に延びた帯状に形成されていることを特徴とする、蓄尿袋。
【請求項６】
請求項３乃至５のうちのいずれか一つに記載の蓄尿袋において、
前記制限手段は、複数設けられており、各制限手段は、別個に設けられていることを特徴とする、蓄尿袋。
【請求項７】
請求項６記載の蓄尿袋において、
前記各制限手段は、一端から他端までの幅寸法が同じにそれぞれ設定されていることを特徴とする、蓄尿袋。
【請求項８】
請求項６記載の蓄尿袋において、
前記各制限手段は、一端から他端までの幅寸法が異なるようにそれぞれ設定されていることを特徴とする、蓄尿袋。
【請求項９】
請求項１乃至８のうちのいずれか一つに記載の蓄尿袋において、
固定保持用ベルトを更に備え、
前記固定保持用ベルトは、小幅のベルト部分と、小幅のベルト部分よりも幅が大きい大幅ベルト部分とから構成されており、
前記大幅ベルト部分は、その一端が小幅のベルト部分の中間部分に取り付けられており、
前記蓄尿袋には少なくとも一つの耳部が設けられており、前記耳部には、少なくとも一つの穴が形成されており、
前記少なくとも一つの穴は、小幅のベルト部分を通すことを許容するが大幅ベルト部分を通すことを許容しない大きさに形成されており、
前記小幅のベルト部分は、前記蓄尿袋の耳部に設けられた少なくとも一つの穴を通され、前記大幅ベルト部分は、体の一部に巻き付けられるようにしてその他端が前記小幅のベルト部分に取り付けられるようになっていることを特徴とする、蓄尿袋。
【請求項１０】
請求項１乃至９のうちのいずれか一つに記載の蓄尿袋において、
排尿口を更に備え、
前記排尿口には、キャップが装着されるようになっており、
前記キャップは、
排尿開口を有するキャップ本体部と、
前記キャップ本体部に接離可能に取り付けられた蓋部と、を備え、
前記キャップ本体部は、
前記排尿開口の上側周縁から上方に立ち上がった上側周縁環状部分と、
前記キャップ本体部から外方に向いて突出する突起部分と、を有し、
前記上側周縁環状部分の外面には、半径方向外方に突出する環状係止部分が形成され、
前記蓋部は、
前記上側周縁環状部分を受け入れる環状溝部分と、
前記蓋部が前記キャップ本体部に閉じられるときに前記突起部と係合する係合穴が形成された取っ手部と、を有し、
前記環状溝部分は、前記蓋部の内面から上方に立ち上がった内側環状部分及び外側環状部分で形成され、
前記内側環状部分の外面には、半径方向外方に突出する内側環状突起部分が形成され、
前記外側環状部分の内面には、半径方向外方に突出する外側環状突起部分が形成され、
前記蓋部が前記キャップ本体部に閉じられるときに前記環状係止部分と前記外側環状突起部分とが係合すると共に前記内側環状突起部分が前記上側周縁環状部分の内面を押圧するようになっており、
前記環状溝部分には、前記蓋部が前記キャップ本体部に閉じられるときに前記上側周縁環状部分の上側周縁と弾性変形して係合し前記排尿開口を密閉する可撓性部材が設けられていることを特徴とする、蓄尿袋。
【請求項１１】
請求項１乃至９のうちのいずれか一つに記載の蓄尿袋において、
排尿口を更に備え、
前記排尿口には、キャップが装着されるようになっており、
前記キャップは、
排尿開口を有するキャップ本体部と、
前記キャップ本体部に接離可能に取り付けられた蓋部と、を備え、
前記キャップ本体部は、
前記排尿開口の上縁部近傍に配置された磁石と、
前記キャップ本体部から外方に向いて突出する突起部と、を有し、
前記蓋部は、
前記蓋部の内面の中心部から立ち上がった軸部分と、
前記蓋部が前記キャップ本体部に閉じられるときに前記磁石の磁力によって前記磁石に吸着されるように配置された金属製部材と、
前記蓋部が前記キャップ本体部に閉じられるときに前記突起部と係合する係合穴が形成された取っ手部と、を有し、
前記軸部分には、前記蓋部が前記キャップ本体部に閉じられるときに前記キャップ本体部の排尿開口内に嵌合的に挿入されて前記排尿開口を密閉する可撓性部材が設けられていることを特徴とする、蓄尿袋。
【請求項１２】
請求項１乃至９のうちのいずれか一つに記載の蓄尿袋において、
排尿口を更に備え、
前記排尿口には、キャップが装着されるようになっており、
前記キャップは、
排尿開口を有するキャップ本体部と、
前記キャップ本体部に接離可能に取り付けられた蓋部と、を備え、
前記キャップ本体部は、
前記排尿開口の上縁部近傍に配置された金属製部材と、
前記キャップ本体部から外方に向いて突出する突起部と、を有し、
前記蓋部は、
前記蓋部の内面の中心部から立ち上がった軸部分と、
前記蓋部が前記キャップ本体部に閉じられるときに前記金属製部材に磁力によって吸着されるように配置された磁石と、
前記蓋部が前記キャップ本体部に閉じられるときに前記突起部と係合する係合穴が形成された取っ手部と、を有し、
前記軸部分には、前記蓋部が前記キャップ本体部に閉じられるときに前記キャップ本体部の排尿開口内に嵌合的に挿入されて前記排尿開口を密閉する可撓性部材が設けられていることを特徴とする、蓄尿袋。
【請求項１３】
請求項１１又は１２記載の蓄尿袋において、
前記磁石及び／又は前記金属製部材は、前記排尿開口の上縁部を取り囲むように環状に形成されていることを特徴とする、蓄尿袋。
【請求項１４】
請求項１１乃至１３のうちのいずれか一つに記載の蓄尿袋において、
前記金属製部材は、磁石に置き換えられることができ、この置き換えられた磁石と前記磁石は、接触面の磁極が互いに逆になるように設定されている、蓄尿袋。
【請求項１５】
請求項１０乃至１４のうちのいずれか一つに記載の蓄尿袋において、
前記可撓性部材は、シリコーンゴムからなることを特徴とする、蓄尿袋。
【発明の詳細な説明】
【技術分野】
【０００１】
本発明は、医療の現場で広く使用されている、人体の一部に固定保持することが可能な蓄尿袋に関するものである。
【背景技術】
【０００２】
蓄尿袋は、例えば、腎機能の障害等により正常な排尿作用を行うことが困難な排尿障害患者に使用されることができ、患者が排尿した尿を一時的に蓄尿するためのものである。
【０００３】
蓄尿袋は、上部にカテーテル等の導尿チューブが接続されるようになっていると共に、下部に排尿口が形成されている袋本体を有し、排尿口にはキャップが取り付けられている。そして、この袋本体内に、導尿チューブを介して供給された尿が蓄尿されるようになっている。
【０００４】
蓄尿袋は、例えば、患者の脚部にベルトで固定保持されて使用され、従来において、種々の蓄尿袋が知られている（例えば、特許文献１参照。）。
【先行技術文献】
【特許文献】
【０００５】
【特許文献１】ＥＰ１９８４０３０３５７６号公報
【発明の概要】
【発明が解決しようとする課題】
【０００６】
しかしながら、従来の蓄尿袋には以下のような問題点がある。すなわち、蓄尿袋は、患者の脚部にベルト等で固定されて使用されているが、蓄尿袋に尿が溜まっていくにつれて蓄尿袋の下部分を中心にして外側に膨れてしまい、その結果、患者が歩行する際に、足の動きと蓄尿袋内の尿の動きがばらばらになり歩行しづらくなってしまうという問題を有している。また、このような蓄尿袋内の尿の動きによって、蓄尿袋内の尿が患者の歩行中に音を生じてしまうという問題を有している。かかる音は、患者にとってデリケートな問題であり、周りの人に対して隠したい音である。
【０００７】
また、上述のように蓄尿袋は、ベルトによって患者の体に取り付けられている。ベルトは、蓄尿袋の耳部に形成された貫通穴を通り、患者の脚部に巻き付けられるようになっている。そして、この貫通穴の大きさは、蓄尿袋を小型化するために小さく形成されている。従来のベルトは、蓄尿袋の耳部に形成された小さな貫通穴を通ることができる一定の幅を有するものであるため、幅が狭いベルトで蓄尿袋を患者の脚部に固定保持するようになっているため、蓄尿袋を患者の脚部にしっかりと保持することができないと共に、巻き付けづらいという問題がある。この問題を解決するために、蓄尿袋の耳部に形成された貫通穴を大きくしてベルトの幅を大きくすることが考えられるが、この場合では、蓄尿袋の耳部が大きくなり、その結果、蓄尿袋全体の大きさをコンパクト化することができない。
【０００８】
また、蓄尿袋の下部の排尿口には、開閉弁として機能するキャップが設けられている。このキャップには、蓄尿袋内の尿を排尿する際に、この尿が付着してしまう場合がある。キャップに付着した尿が乾燥すると微細な結晶が形成され、この結晶によってキャップをきちんと閉じることができなくなり、キャップから尿漏れを生じてしまう。従って、キャップの構造は、尿の結晶が形成されても簡単に尿漏れが生じない構造が望ましい。
【０００９】
本発明は、上述のような従来技術の問題点に鑑みてなされたものであり、蓄尿袋内に溜まる尿によって蓄尿袋が外側に膨れるのを制限することにより、蓄尿袋内に多くの尿が溜まっても患者（使用者）は快適に歩行することができると共に、患者の歩行動作に起因する蓄尿袋内の尿の音を低減することができる蓄尿袋を提供することを目的とする。
【００１０】
また、本発明は、蓄尿袋の耳部に形成された貫通穴を通るベルトは小さい幅にし、脚部に巻き付けるベルトの幅を大きくすることにより、蓄尿袋全体の大きさのコンパクト化を維持しながら蓄尿袋を患者の脚部にしっかりと保持すると共に容易に巻き付けることができる蓄尿袋を提供することを目的とする。
【００１１】
さらに、本発明は、蓄尿袋の排尿口に設けられるキャップを二重ロック構造にすることにより、キャップに付着した尿が乾燥して微細な結晶が形成されても簡単に尿漏れを生じることがない蓄尿袋を提供することを目的とする。
【課題を解決するための手段】
【００１２】
本発明は、排尿を蓄尿する蓄尿本体を有する蓄尿袋であって、前記蓄尿本体内部には、前記蓄尿本体内に蓄尿された尿によって前記蓄尿本体が膨らむのを制限する制限手段が設けられていることを特徴とする、蓄尿袋を提供する。
【００１３】
また、前記制限手段は、前記蓄尿本体内に蓄尿された尿が溜まる前記蓄尿本体の下方部分に設けられている。また、前記制限手段は、帯状に形成されており、その一端が前記蓄尿本体の表面部の内面に取り付けられ、他端が前記蓄尿本体の裏面部の内面に取り付けられている。また、前記規制手段は、折りたためられた帯状に形成されることができる。また、前記制限手段は、前記蓄尿本体の上下方向に延びた帯状に形成されることができる。また、前記制限手段は、複数設けられており、各制限手段は、別個に設けられている。また、前記各制限手段は、一端から他端までの幅寸法が同じにそれぞれ設定されることができるし、一端から他端までの幅寸法が異なるようにそれぞれ設定されることができる。
【００１４】
また、本発明にかかる蓄尿袋は、固定保持用ベルトを更に備え、前記固定保持用ベルトは、小幅のベルト部分と、小幅のベルト部分よりも幅が大きい大幅ベルト部分とから構成されており、前記大幅ベルト部分は、その一端が小幅のベルト部分の中間部分に取り付けられており、前記蓄尿袋には少なくとも一つの耳部が設けられており、前記耳部には、少なくとも一つの穴が形成されており、前記少なくとも一つの穴は、小幅のベルト部分を通すことを許容するが大幅ベルト部分を通すことを許容しない大きさに形成されており、前記小幅のベルト部分は、前記蓄尿袋の耳部に設けられた少なくとも一つの穴を通され、前記大幅ベルト部分は、体の一部に巻き付けられるようにしてその他端が前記小幅のベルト部分に取り付けられるようになっている。
【００１５】
また、本発明にかかる蓄尿袋は、排尿口を更に備え、前記排尿口には、キャップが装着されるようになっており、前記キャップは、排尿開口を有するキャップ本体部と、前記キャップ本体部に接離可能に取り付けられた蓋部と、を備え、前記キャップ本体部は、前記排尿開口の上側周縁から上方に立ち上がった上側周縁環状部分と、前記キャップ本体部から外方に向いて突出する突起部分と、を有し、前記上側周縁環状部分の外面には、半径方向外方に突出する環状係止部分が形成され、前記蓋部は、前記上側周縁環状部分を受け入れる環状溝部分と、前記蓋部が前記キャップ本体部に閉じられるときに前記突起部と係合する係合穴が形成された取っ手部と、を有し、前記環状溝部分は、前記蓋部の内面から上方に立ち上がった内側環状部分及び外側環状部分で形成され、前記内側環状部分の外面には、半径方向外方に突出する内側環状突起部分が形成され、前記外側環状部分の内面には、半径方向外方に突出する外側環状突起部分が形成され、前記蓋部が前記キャップ本体部に閉じられるときに前記環状係止部分と前記外側環状突起部分とが係合すると共に前記内側環状突起部分が前記上側周縁環状部分の内面を押圧するようになっており、前記環状溝部分には、前記蓋部が前記キャップ本体部に閉じられるときに前記上側周縁環状部分の上側周縁と弾性変形して係合し前記排尿開口を密閉する可撓性部材が設けられている。
【００１６】
また、本発明にかかる蓄尿袋は、排尿口を更に備え、前記排尿口には、キャップが装着されるようになっており、前記キャップは、排尿開口を有するキャップ本体部と、前記キャップ本体部に接離可能に取り付けられた蓋部と、を備え、前記キャップ本体部は、前記排尿開口の上縁部近傍に配置された磁石と、前記キャップ本体部から外方に向いて突出する突起部と、を有し、前記蓋部は、前記蓋部の内面の中心部から立ち上がった軸部分と、前記蓋部が前記キャップ本体部に閉じられるときに前記磁石の磁力によって前記磁石に吸着されるように配置された金属製部材と、前記蓋部が前記キャップ本体部に閉じられるときに前記突起部と係合する係合穴が形成された取っ手部と、を有し、前記軸部分には、前記蓋部が前記キャップ本体部に閉じられるときに前記キャップ本体部の排尿開口内に嵌合的に挿入されて前記排尿開口を密閉する可撓性部材が設けられている。
【００１７】
また、本発明にかかる蓄尿袋は、排尿口を更に備え、前記排尿口には、キャップが装着されるようになっており、前記キャップは、排尿開口を有するキャップ本体部と、前記キャップ本体部に接離可能に取り付けられた蓋部と、を備え、前記キャップ本体部は、前記排尿開口の上縁部近傍に配置された金属製部材と、前記キャップ本体部から外方に向いて突出する突起部と、を有し、前記蓋部は、前記蓋部の内面の中心部から立ち上がった軸部分と、前記蓋部が前記キャップ本体部に閉じられるときに前記金属製部材に磁力によって吸着されるように配置された磁石と、前記蓋部が前記キャップ本体部に閉じられるときに前記突起部と係合する係合穴が形成された取っ手部と、を有し、前記軸部分には、前記蓋部が前記キャップ本体部に閉じられるときに前記キャップ本体部の排尿開口内に嵌合的に挿入されて前記排尿開口を密閉する可撓性部材が設けられている。
【００１８】
また、前記磁石及び／又は前記金属製部材は、前記排尿開口の上縁部を取り囲むように環状に形成されているのが好ましい。また、前記金属製部材は、磁石に置き換えられることができ、この場合、この置き換えられた磁石と前記磁石は、接触面の磁極が互いに逆になるように設定されている。また、前記可撓性部材は、例えば、シリコーンゴムからなる。
【発明の効果】
【００１９】
本発明によれば、排尿を蓄尿する蓄尿本体部を有する蓄尿袋において、前記蓄尿本体内部には、前記蓄尿本体内に蓄尿された尿によって前記蓄尿本体が膨らむのを制限する制限手段が設けられているため、蓄尿袋内に溜まる尿によって蓄尿袋が外側に膨れるのを制限することができ、蓄尿袋内に多くの尿が溜まっても患者（使用者）は快適に歩行することができると共に、患者の歩行動作に起因する蓄尿袋内の尿の音を低減することができる蓄尿袋を提供することができる。
【００２０】
また、本発明にかかる蓄尿袋は、固定保持用ベルトを更に備え、前記固定保持用ベルトは、小幅のベルト部分と、小幅のベルト部分よりも幅が大きい大幅ベルト部分とから構成されており、前記大幅ベルト部分は、その一端が小幅のベルト部分の中間部分に取り付けられており、前記蓄尿袋には少なくとも一つの耳部が設けられており、前記耳部には、少なくとも一つの穴が形成されており、前記少なくとも一つの穴は、小幅のベルト部分を通すことを許容するが大幅ベルト部分を通すことを許容しない大きさに形成されており、前記小幅のベルト部分は、前記蓄尿袋の耳部に設けられた少なくとも一つの穴を通され、前記大幅ベルト部分は、体の一部に巻き付けられるようにしてその他端が前記小幅のベルト部分に取り付けられるようになっているため、蓄尿袋全体の大きさのコンパクト化を維持しながら蓄尿袋を患者の脚部にしっかりと保持すると共に容易に巻き付けることができる蓄尿袋を提供することができる。
【００２１】
さらに、本発明にかかる蓄尿袋は、蓄尿袋の排尿口に設けられるキャップを二重ロック構造にしているため、キャップに付着した尿が乾燥して微細な結晶が形成されても簡単に尿漏れを生じることがない蓄尿袋を提供することができる。
【図面の簡単な説明】
【００２２】
【図１】図１は、本発明にかかる蓄尿袋の実施の形態を示す概略図である。
【図２】図２（ａ）、（ｂ）及び（ｃ）は、本発明にかかる蓄尿袋に適用可能な制限手段をそれぞれ示す概略断面図である。
【図３】図３は、本発明にかかる蓄尿袋に適用可能な制限手段の別の例を示す概略図である。
【図４】図４は、体の腰部に取り付けることが可能な蓄尿袋の実施の形態を示す概略図である。
【図５】図５（ａ）は、体の腰部に取り付けることが可能な蓄尿袋の別の実施の形態を示す概略図であり、図５（ｂ）は、その概略断面図である。
【図６】図６は、本発明にかかる蓄尿袋に適用可能な固定保持用ベルトの実施の形態を示す概略図である。
【図７】図７は、図６に示された固定保持用ベルトが適用された蓄尿袋の実施の形態を示す概略部分斜視図である。
【図８】図８（ａ）は、本発明にかかる蓄尿袋に適用可能なキャップの実施の形態を示す概略正面図であり、図８（ｂ）は、その概略側面図である。
【図９】図９は、図８に示されたキャップの概略断面図である。
【図１０】図１０は、本発明にかかる蓄尿袋に適用可能なキャップの別の実施の形態を示す概略斜視図である。
【図１１】図１１は、図１０に示されたキャップの概略斜視図である。
【発明を実施するための形態】
【００２３】
以下、本発明にかかる蓄尿袋を実施するための最良の形態について図面を参照しながら述べる。図１は、本発明にかかる蓄尿袋を示している。図１に示されるように、蓄尿袋１は、腎機能の障害等により正常な排尿作用を行うことが困難な排尿障害患者などの人の脚部に固定保持することができるいわゆるレッグバッグタイプの蓄尿袋であり、人からの排尿を蓄尿する蓄尿本体２を有する。蓄尿本体２は、表面部と裏面部とを有する扁平状の筒部であり、ポリ塩化ビニル（ＰＶＣ）などの可撓性部材で作られており、上部にはカテーテル等の導尿チューブ（図７において符号３０で示す）などが接続されるチューブ接続部３が形成されており、下部には排尿口４が形成されており、この排尿口４には、排尿チューブ（図示せず）などを介してあるいは直接的にキャップ２０が装着されている。また、蓄尿本体部２の裏面部には、肌触りの良い不織布（図示せず）が設けられている。
【００２４】
蓄尿本体２の内部には、蓄尿本体内に蓄尿された尿によって蓄尿本体２が外側に膨らむのを制限する制限手段５が設けられている。図２（ｂ）には、図１に示す制限手段５の概略断面図を示している。図１及び図２（ｂ）に示されるように、この制限手段５は、蓄尿本体部２と同じ素材であるポリ塩化ビニル（ＰＶＣ）などの可撓性部材で作られることができ、蓄尿本体内に蓄尿された尿が溜まる蓄尿本体２の下方部分に設けられている。図示の制限手段５は、蓄尿本体２の上下方向に沿って並列に配置された二つの制限手段から構成されており、各制限手段５は、蓄尿本体２の上下方向に延び、かつこの上下方向に沿った軸線で二つに折りたためられた帯状（図２（ｂ）の断面図を参照）に形成されており、その一端５ａが蓄尿本体２の表面部（図２（ｂ）において符号２ａで示す）の内面に取り付けられ、他端５ｂが蓄尿本体２の裏面部（図２（ｂ）において符号２ｂで示す）の内面に取り付けられている。図示のように、各制限手段５は、別個に設けられている。
【００２５】
この制限手段５により、使用中において、蓄尿袋の蓄尿本体２の内部には、尿が溜まっていくにつれて蓄尿本体２の下部分を中心にして外側に膨れてしまうのが制限されることができ、蓄尿袋内に多くの尿が溜まっても患者（使用者）は快適に歩行することができると共に、患者の歩行動作に起因する蓄尿袋内の尿の音を低減させることができる。
【００２６】
制限手段５の規制量は、例えば、制限手段５の一端５ａから他端５ｂまでの幅寸法により設定されることができる。そして、図１及び図２（ｂ）に示される制限手段５のように、複数の制限手段５が蓄尿本体２に設けられている場合には、各制限手段５は、一端５ａから他端５ｂまでの幅寸法が同じにそれぞれ設定されることができるし、逆に、一端５ａから他端５ｂまでの幅寸法が異なるようにそれぞれ設定されることができる。
【００２７】
また、図１及び図２（ｂ）に示される制限手段５は、二つの制限手段から構成されているが、図２（ａ）に示されるように単一の制限手段で構成されることができるし、図２（ｃ）に示されるように三つの制限手段で構成されることができる。また、図３に示されるように四つの制限手段で構成されることができる。図３に示される制限手段５は、蓄尿本体２の下方部分には二つの制限手段５が蓄尿本体２の上下方向に沿って並列に配置され、蓄尿本体２の下方部分の上方部分には、二つの制限手段５が、下方部分に配置された二つの制限手段５の間隔よりも大きな間隔で蓄尿本体２の上下方向に沿って並列に配置されている。そして、これら四つの制限手段５は、別個にそれぞれ設けられている。
【００２８】
また、図１に示す蓄尿袋１は、脚部に固定保持することができるいわゆるレッグバッグタイプの蓄尿袋であるが、本発明にかかる蓄尿袋は、図４及び図５に示すような人の腰部に固定保持することができる形態の蓄尿袋も包含される。図４に示す蓄尿袋１に適用された制限手段５は、図１に示す制限手段５と同じ形態である。一方、図５（ａ）に示す蓄尿袋１に適用された制限手段５は、蓄尿本体２の上下方向に延びた筒状に形成されており、四か所で蓄尿本体２に取り付けられている。具体的に述べると、図５（ｂ）に示すように、四か所のうちの二か所が蓄尿本体２の表面部２ａの内面に取り付けられ、残りの二か所が蓄尿本体２の裏面部２ｂの内面に取り付けられている。そして、蓄尿本体２の表面部２ａの内面に取り付けられた二か所の取り付け部の間隔は、その表面部２ａがゆるく撓むことができる寸法に設定されており、同様に、蓄尿本体２の裏面部２ｂの内面に取り付けられた二か所の取り付け部の間隔は、裏面部２ｂがゆるく撓むことができる寸法に設定されている。従って、蓄尿本体２の表面部２ａの内面に取り付けられた二か所の取り付け部の間隔で制限手段５がピンと張った状態でも表面部２ａはゆるく撓んだ状態であり、同様に、蓄尿本体２の裏面部２ｂの内面に取り付けられた二か所の取り付け部の間隔で制限手段５がピンと張った状態でも裏面部２ｂはゆるく撓んだ状態である。
【００２９】
次に、本発明の別の特徴である固定保持用ベルトについて説明する。本発明にかかる蓄尿袋は、固定保持用ベルトを更に備えることができる。図１に示されるように、蓄尿袋１の蓄尿本体２は、上部にチューブ接続部３を中心にして左右一対の耳部６が形成されていると共に下部に排尿口４を中心にして左右一対の耳部７が形成されている。そして、各耳部６には、蓄尿本体２の上下方向に沿って並列に配置された二つのスリット状の穴８がそれぞれ形成され、各耳部７には、一つのスリット状の穴９がそれぞれ形成されている。
【００３０】
図６に示されるように、固定保持用ベルト１０は、小幅のベルト部分１１と、小幅のベルト部分よりも幅が大きい大幅ベルト部分１２とから構成されている。小幅のベルト部分１１及び大幅ベルト部分１２は、互いに対向する面の任意の位置にマジックテープ（登録商標）などの互いに係合することができる面ファスナーが取り付けられている。
【００３１】
そして、大幅ベルト部分１２は、その一端１３が小幅のベルト部分１１の中間部分に取り付けられている。この中間部分の位置は、例えば、図７に示されるように、小幅のベルト部分１１を蓄尿本体２の上部に形成された耳部６の各穴８に取り付けた場合には、右側の耳部６の右側に形成された穴８の位置近傍に設定することができるが、これに限定されない。
【００３２】
各穴８、９は、固定保持用ベルト１０の小幅のベルト部分１１を通すことを許容するが大幅ベルト部分１２を通すことを許容しない大きさに形成されている。すなわち、各穴８、９は、小幅のベルト部分１１のみを通すことができる大きさに形成されており、そのため、耳部の大きさを小さくすることができ、もって、蓄尿袋１全体の大きさのコンパクト化を図ることができる。
【００３３】
次に、固定保持用ベルト１０の取り付け方法について説明する。図７には、蓄尿本体２の上部に形成された耳部６の各穴８に対する固定保持用ベルト１０の取り付けを示している。まず、固定保持用ベルト１０の小幅のベルト部分１１を各耳部６の各穴８に通して固定保持用ベルト１０を蓄尿袋１の蓄尿本体２に取り付ける。この際、小幅のベルト部分１１の中間部分に、穴８を通すことができない大幅ベルト部分１２の一端１３が取り付けられているため、例えば、小幅のベルト部分１１の右端１４を左側の耳部６の右側に位置する穴８に紙面手前から紙面奥側に向けて挿入し、そして、右側の耳部６の左側に位置する穴８に紙面奥側から紙面手前に向けて挿入し、続いて、右側の耳部６の右側に位置する穴８に紙面手前から紙面奥側に向けて挿入する。そして、小幅のベルト部分１１の左端１５を左側の耳部６の左側に位置する穴８に紙面手前から紙面奥側に向けて挿入する。図７には、このときの挿入状態が示されている。次に、大幅ベルト部分１２を図７において符号１６で示す方向から脚部に巻き付けて、その他端（図６において符号１７で示す）を小幅のベルト部分１１に面ファスナーで取り付ける。
【００３４】
このように、固定保持用ベルト１０を、蓄尿袋１の蓄尿本体２側に取り付けられる部分を小幅のベルト部分１１で構成し、体の一部である脚部に巻き付けられる部分を大幅のベルト部分１２で構成しているため、蓄尿袋全体の大きさのコンパクト化を維持しながら蓄尿袋を患者の脚部にしっかりと保持すると共に容易に巻き付けることができる。
【００３５】
また、上述では、蓄尿本体２の上部に形成された耳部６の各穴８に対する固定保持用ベルト１０の取り付けについて説明しているが、同様な取り付け方法で、蓄尿本体２の下部に形成された耳部７の穴９に対しても固定保持用ベルト１０を取り付けることができる。また、図１に示す穴は、耳部６に対して二つ形成され、耳部７に対して一つ形成されているが、穴の数はこれに限定されない。また、穴の形状に関してもスリット状に限らない。
【００３６】
また、本発明にかかる固定保持用ベルト１０は、図４及び図５に示すような人の腰部に固定保持することができる形態の蓄尿袋１に対しても備えられることができる。すなわち、図４及び図５に示す蓄尿袋１は、上部にチューブ接続部３を中心にして左右一対の耳部６が形成されているが、この各耳部６に、例えば図示のように蓄尿本体２の上下方向に沿って並列に配置された二つのスリット状の穴１８を設け、この穴１８を介して小幅のベルト部分１１を挿入して固定保持用ベルト１０を蓄尿本体２に取り付けることができる。
【００３７】
また、上述の固定保持用ベルト１０は、蓄尿袋１の蓄尿本体２側に取り付けられる部分を小幅のベルト部分１１で構成し、体の一部である脚部に巻き付けられる部分を大幅のベルト部分１２で構成しているが、大幅のベルト部分のみで構成することも可能である。この場合は、大幅のベルト部分の各穴８に対応する位置に、穴８を通すことができるボタンなどの係合部分をそれぞれ設置し、この係合部分を対応する各穴８にそれぞれ通して係合させるようにすることにより、上述の固定保持用ベルト１０と同様に、蓄尿袋全体の大きさのコンパクト化を維持しながら蓄尿袋を患者の脚部にしっかりと保持すると共に容易に巻き付けることができる。
【００３８】
次に、本発明のさらに別の特徴であるキャップについて説明する。本発明にかかる蓄尿袋は、キャップを更に備えることができる。図１に示されるように、キャップ２０は、排尿チューブ（図示せず）などを介してあるいは直接的に排尿口４に装着される。図８（ａ）には、キャップ２０の正面図を示し、図８（ｂ）には、キャップ２０の側面図を示し、図９には、キャップ２０の断面図を示している。図示のように、キャップ２０は、排尿開口１９を有するキャップ本体部２１と、キャップ本体部２１に接離可能に取り付けられた蓋部２２とで主に構成されている。
【００３９】
キャップ本体部２１は、排尿口４に排尿チューブ（図示せず）などを介してあるいは直接的に装着される接続部２３が形成されており、この接続部２３上に蓋部２２が載置される座部２４が形成され、排尿開口１９は、接続部２３及び座部２４の中心を貫通して形成されている。キャップ本体部２１の座部２４には、排尿開口１９の上側周縁から上方に立ち上がった上側周縁環状部分２５が形成されており、この上側周縁環状部分２５の外面には、半径方向外方に突出する環状係止部分２６が形成されている。また、キャップ本体部２１の座部２４には、座部２４から外方に向いて突出する突起部分２７が形成されている。
【００４０】
一方、蓋部２２は、上側周縁環状部分２５を受け入れるように形状付けられた環状溝部分２８が設けられている。この環状溝部分２８は、蓋部２２の内面から上方に立ち上がった内側環状部分２９及び外側環状部分３１で形成されている。そして、内側環状部分２９の外面には、半径方向外方に突出する内側環状突起部分３２が形成され、一方、外側環状部分３１の内面には、半径方向外方に突出する外側環状突起部分３３が形成されている。また、環状溝部分２８には、Ｏ−リング状の例えばシリコーンゴムからなる可撓性部材３６が設けられている。また、蓋部２２には、取っ手部３４が設けられており、この取っ手部３４には、蓋部２２がキャップ本体部２１に閉じられるときに突起部２７と係合する係合穴３５（図８（ａ）、（ｂ）を参照）が形成されている。
【００４１】
かかる構成により、蓋部２２がキャップ本体部２１に閉じられるときに、可撓性部材３６が上側周縁環状部分２５の上側周縁と弾性変形して係合し排尿開口１９を密閉すると共に口述するように蓋部２２がキャップ本体部２１に対して二重ロック（係止）されるようになっている。
【００４２】
以下、二重ロック構造について具体的に説明する。蓋部２２がキャップ本体部２１に閉じられるときに、環状係止部分２６と外側環状突起部分３３とが係合すると共に内側環状突起部分３２が上側周縁環状部分２５の内面を押圧して環状係止部分２６と外側環状突起部分３３との係合状態をより強固にするようになっている。さらに、キャップ本体部２１の座部２４に形成された突起部２７が蓋部２２の取っ手部３４の係合穴３５に係合するようになっている。このように、環状係止部分２６と外側環状突起部分３３との係合及びこの係合状態を強固にする内側環状突起部分３２の上側周縁環状部分２５の内面に対する押圧によるロック（係止）と、突起部２７と係合穴３５との係合によるロック（係止）の二重のロック（係止）状態で蓋部２２がキャップ本体部２１に閉じられるようになっているため、キャップに付着した尿が乾燥して微細な結晶が形成されても簡単に尿漏れを生じることがない蓄尿袋を提供することができる。
【００４３】
次に、キャップの別の実施形態について図１０及び図１１を参照しながら説明する。図１０及び図１１に示されるように、キャップ３６は、キャップ２０と同様に、排尿チューブ（図示せず）などを介してあるいは直接的に排尿口４（図１参照）に装着される。キャップ３６は、排尿開口３７を有するキャップ本体部３８と、キャップ本体部３８に接離可能に取り付けられた蓋部３９とで主に構成されている。
【００４４】
キャップ本体部３８は、排尿口４に排尿チューブ（図示せず）などを介してあるいは直接的に装着される接続部４０が形成されており、この接続部４０上に蓋部３９が載置される座部４１が形成され、排尿開口３７は、接続部４０及び座部４１の中心を貫通して形成されている。キャップ本体部３８の座部４１には、排尿開口３７の上縁部近傍に磁石４２が配置されている。図示の磁石４２は、排尿開口３７の上縁部を取り囲むように環状に形成されている。また、キャップ本体部３８の座部４１には、座部４１から外方に向いて突出するフランジ付突起部分４３が形成されている。
【００４５】
一方、蓋部３９の内面には、その内面の中心部から立ち上がった軸部分４８が形成され、この軸部分４８には、筒状の例えばシリコーンゴムからなる可撓性部材４４が設けられている。また、蓋部３９の内面には、軸部分４８を中心とした環状の溝（図示せず）が形成されており、この環状の溝の中には、磁石４２の磁力によって磁石４２に吸着されるように金属製部材４５が配置されている。図示の金属製部材４５は、磁石４２と同様に、排尿開口３７の上縁部を取り囲むように環状に形成されている。また、蓋部３９には、取っ手部４６が設けられており、この取っ手部４６には、蓋部３９がキャップ本体部３８に閉じられるときに突起部４３と係合する長穴形状の係合穴４７が形成されている。
【００４６】
かかる構成により、蓋部３９がキャップ本体部３８に閉じられるときに、軸部分４８に取り付けられた可撓性部材４４がキャップ本体部３８の排尿開口３７内に嵌合的に挿入されて排尿開口３７を密閉すると共に口述するように蓋部３９がキャップ本体部３８に対して二重ロック（係止）されるようになっている。
【００４７】
以下、二重ロック構造について具体的に説明する。蓋部３９がキャップ本体部３８に閉じられるときに、磁石４２の磁力によって金属製部材４５が磁石４２に吸着（磁力による吸着係止）されるようになっている。さらに、キャップ本体部３８の座部４１に形成された突起部４３が蓋部３９の取っ手部４６の係合穴４７に係合するようになっている。このように、金属製部材４５と磁石４２との磁力によるロック（係止）と、突起部４３と係合穴４７との係合によるロック（係止）の二重のロック（係止）状態で蓋部３９がキャップ本体部３８に閉じられるようになっているため、キャップに付着した尿が乾燥して微細な結晶が形成されても簡単に尿漏れを生じることがない蓄尿袋を提供することができる。
【００４８】
図１０及び図１１に示すキャップの実施形態では、キャップ本体部３８側に磁石４２が配置され、蓋部３９側に金属製部材４５が配置されているが、磁石４２と金属製部材４５を逆に配置させることもできる。すなわち、キャップ本体部３８側に金属製部材４５を配置し、蓋部３９側に磁石４２を配置させることができる。
【００４９】
また、金属製部材４５を磁石４２とは別の磁石に置き換えられることができる。この場合には、この置き換えられた別の磁石と磁石４２は、互いに吸着するように接触面の磁極が互いに逆になるように設定される。
【符号の説明】
【００５０】
１    蓄尿袋
２    蓄尿本体
２ａ  表面部
２ｂ  裏面部
３    チューブ接続部
４    排尿口
５    制限手段
５ａ  一端
５ｂ  他端
６    耳部
７    耳部
８    穴
９    穴
１０    固定保持用ベルト
１１    小幅のベルト部分
１２    大幅ベルト部分
１３    一端
１４    右端
１５    左端
１６    巻き付け方向
１７    他端
１８    穴
１９    排尿開口
２０    キャップ
２１    キャップ本体部
２２    蓋部
２３    接続部
２４    座部
２５    上側周縁環状部分
２６    環状係止部分
２７    突起部分
２８    環状溝部分
２９    内側環状部分
３０    導尿チューブ
３１    外側環状部分
３２    内側環状突起部分
３３    外側環状突起部分
３４    取っ手部
３５    係合穴
３６    可撓性部材
３７    排尿開口
３８    キャップ本体部
３９    蓋部
４０    接続部
４１    座部
４２    磁石
４３    フランジ付突起部分
４４    可撓性部材
４５    金属製部材
４６    金属製部材
４７    係合穴
４８    軸部分
【図１】
2014212873.tif 000003
【図２】
2014212873.tif 000004
【図３】
2014212873.tif 000005
【図４】
2014212873.tif 000006
【図５】
2014212873.tif 000007
【図６】
2014212873.tif 000008
【図７】
2014212873.tif 000009
【図８】
2014212873.tif 000010
【図９】
2014212873.tif 000011
【図１０】
2014212873.tif 000012
【図１１】
2014212873.tif 000013